(57)【要約】【課題】  本発明は簡単に給水でき、衣服等を濡らすことなく気化熱等によって人体を冷却し、熱中症等を予防する人体冷却具を得るにある。【解決手段】  人体に装着することができる人体装着具と、該人体装着具の少なくとも一部に備えられた冷却部からなる人体冷却具において、前記冷却部は、人体に装着した時に内側に位置する透湿性素材で形成された内布と、人体に装着した時に外側に位置し、一部に透水性素材を用いて給水部が形成された外布と、前記給水部から供給された水を吸収できる保水性素材で形成され、前記内布と外布の間に介装された保水層とで人体冷却具を構成している。【選択図】  図１
2015052188.tif 000002
【特許請求の範囲】
【請求項１】
OLE_LINK1人体に装着することができる人体装着具と、該人体装着具の少なくとも一部に備えられた冷却部からなる人体冷却具において、前記冷却部は、人体に装着した時に内側に位置する透湿性素材で形成された内布と、人体に装着した時に外側に位置し、一部に透水性素材を用いて給水部が形成された外布と、前記給水部から供給された水を吸収できる保水性素材で形成され、前記内布と外布の間に介装された保水層OLE_LINK1より構成されることを特徴とする人体冷却具。
【請求項２】
前記人体装着具は、上半身に装着するベストであり、該ベストの前下部及び／又は後上部に冷却部を備えることを特徴とする請求項１記載の人体冷却具。
【請求項３】
前記人体装着具は、頭部に装着できるものであり、該人体装着具を頭部に装着した際に、頭頂部及び／又は後頭部に位置する部分に冷却部を備えることを特徴とする請求項１記載の人体冷却具。
【請求項４】
前記人体装着具は、人体に巻きつけて密着固定することができる帯状体であることを特徴とする請求項１記載の人体冷却具。
【請求項５】
前記冷却部の外布の給水部を除く部分は、防水性素材で構成されていることを特徴とする請求項１ないし４いずれかに記載の人体冷却具。
【請求項６】
前記冷却部の外布には、ポケットが形成されており、該ポケットの下端部は外布の下端部よりも上部に位置することを特徴とする請求項１ないし４いずれかに記載の人体冷却具。
【請求項７】
前記冷却部の内布は、一部が透水性素材で形成されていることを特徴とする請求項１ないし６いずれかに記載の人体冷却具。
【発明の詳細な説明】
【技術分野】
【０００１】
本発明は簡単に給水でき、衣服等を濡らすことなく気化熱等によって人体を冷却し、熱中症等を予防する人体冷却具に関する。
【背景技術】
【０００２】
従来、熱中症予防のために用いられる人体冷却具としては、人体装着具にポケットを設け、該ポケットに保冷剤を収納し、後頭部等を局部的に冷やしていた（特許文献１）。
しかし、このような人体冷却具では、保冷剤がなければ冷却効果を得られず、また、外出時に保冷剤を収納しても、外出先で保冷剤が溶けてしまうと冷却効果が得られず、外出先で凍った保冷剤を補給することは極めて困難だった。
そのため、冷却効果を得たい時に得ることが不可能だった。
【０００３】
また、気化熱により人体を冷却する人体冷却具は、外布全体が透水性素材で形成されており、給水時は人体冷却具をバケツに汲んだ水等にドブ漬けし給水していた（特許文献２）。
【０００４】
そのため、保水性素材以外の部分にも水が付着し、人体に装着した際に衣服等が広範囲にわたって濡れてしまっていた。また、外布全体が透水性素材のため、保水層の水が滴ったり、蒸発速度が速まったりして長時間冷却効果を維持することが難しかった。
【先行技術文献】
【特許文献】
【０００５】
【特許文献１】特開２０１２−３６５３３号公報
【特許文献２】特開２００６−３２８６１５号公報
【発明の概要】
【発明が解決しようとする課題】
【０００６】
本発明は以上のような従来の欠点に鑑み、衣服を濡らすことなく、かつ十分な冷却効果を得られる人体冷却具を提供することを目的としている。
【０００７】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００８】
上記目的を達成するために、本発明は人体に装着することができる人体装着具と、該人体装着具の少なくとも一部に備えられた冷却部からなる人体冷却具において、前記冷却部は、人体に装着した時に内側に位置する透湿性素材で形成された内布と、人体に装着した時に外側に位置し、一部に透水性素材を用いて給水部が形成された外布と、前記給水部から供給された水を吸収できる保水性素材で形成され、前記内布と外布の間に介装された保水層より人体冷却具を構成している。
【発明の効果】
【０００９】
以上の説明から明らかなように、本発明にあっては次に列挙する効果が得られる。
（１）請求項１により、内布は透湿性素材で形成されているので、水を内側へ浸透させないため、衣服を濡らすことなく気化熱により人体を冷却できる。
（２）前記（１）によって、外布の一部に透水性素材の給水部が形成されているため、該給水部からペットボトル等で容易に給水することができる。
したがって、人体冷却具をバケツに汲んだ水等にドブ付けする必要がなく、保水性素材以外の部分にも水が付着し、人体に装着した際に衣服等が広範囲にわたって濡れてしまうことを防止できる。
（３）前記（１）によって、給水部からペットボトル等で容易に給水することができるので、人体に装着したまま給水することができる。
したがって、保水層の水が蒸発しきってしまっても、容易に水を供給することができる。
（４）前記（１）によって、保水層に保水された水が漏れ出しにくく、衣服等が濡れてしまうことを防止することができる。
（５）請求項２も前記（１）〜（４）と同様な効果が得られるとともに、熱を発生しやすい部位を効率よく冷却する事ができる。
（６）請求項３も前記（１）〜（５）と同様な効果が得られる。
（７）請求項４も前記（１）〜（５）と同様な効果が得られる。
（８）請求項５も前記（１）〜（５）と同様な効果が得られるとともに、外布を防水性素材で形成する事により、外布からの水の蒸発を防止し、冷却効果を長く持続する事ができる。
（９）請求項６も前記（１）〜（８）と同様な効果が得られるとともに、ポケットに冷却剤を入れる事ができる。
したがって、冷却効果を長く持続させることができ、気化熱だけを利用する場合よりも大きな冷却効果を得ることができる。
（１０）請求項７も前記（１）〜（９）と同様な効果が得られる。
【図面の簡単な説明】
【００１０】
【図１】本発明を実施するための第１の形態の正面図。
【図２】本発明を実施するための第１の形態の背面図。
【図３】図１の３−３線断面図。
【図４】本発明を実施するための第２の形態の正面図。
【図５】ポケットに冷却剤を入れた状態の説明図。
【図６】本発明を実施するための第３の形態の概略説明図。
【図７】図６の７−７線断面図。
【図８】本発明を実施するための第４の形態の概略説明図。
【図９】図８の９−９線断面図。
【図１０】本発明を実施するための第５の形態の概略説明図。
【図１１】図１０の１１−１１線断面図。
【図１２】本発明を実施するための第６の形態の概略説明図。
【図１３】図１２の１３−１３線断面図。
【発明を実施するための形態】
【００１１】
以下、図面に示す本発明を実施するための形態により、本発明を詳細に説明する。
【００１２】
図１ないし図３に示す本発明を実施するための第１の形態において、１は気化熱で人体を冷却し、熱中症等を予防する人体冷却具で、ベスト形状で上半身に装着することができる人体装着具２と、該人体装着具２の前下部および後上部に備えられた冷却部３、３とで構成されている。
【００１３】
前記冷却部３は、人体に装着した時に内側に位置する透湿性素材で形成された内布４と、人体に装着した時に外側に位置し、上部の一部に透水性素材を用いて給水部５が形成され、該給水部５以外の部分が透湿性素材で形成された外布６と、前記給水部５から供給された水を吸収できる保水性素材で形成され、保水した水が漏れないように前記内布４と外布６の間に介装された保水層７より構成されている。
【００１４】
前記外布５は、上部の一部に透水性素材で形成された給水部５と、該給水部の下部に設けられた透湿性素材で形成された漏水防止部８から形成されている。
前記内布４と外布６は略同形状に形成されており、前記保水層７は前記内布４および外布６よりも小さく形成されている。内布４と外布６の外周付近を逢着・溶着・接着等で固定し、内部に保水層７を包み込むように介装することにより保水層７に保水された水が外部に漏れることを防止できる。なお、内布４及び外布６と人体装着具２の継ぎ目も同様に逢着・溶着・接着等で連結される。
【００１５】
前記給水部５は保水層７の介装されている空間に連通又は給水部５と保水層７が当接しており、給水部５から水をペットボトル等で供給することにより、保水層７に水を吸収させることができる。
【００１６】
人体装着具２の冷却部３以外の部位は、通気性のあるメッシュ生地で形成されている。このように構成することにより、内臓等の熱を発生する部位を効果的に冷却し、かつ、胸筋や背筋等の大きな筋肉から熱を外部に逃すことができる。
【００１７】
本願発明の人体冷却具１を使用する場合、保水層に給水した後に衣服の上から着用する。外出先で冷却効果が低下したと感じた場合には、人体冷却具１を装着したままペットボトル等で給水部５から水を保水層７へ供給することにより、冷却効果を持続させることができる。また、このように水を供給することにより、水供給時に衣服が濡れることを防止できる。
【００１８】
本実施の形態において、冷却部３を人体装着具２の前下部及び後上部に備えるものについて説明したが、冷却部３は人体装着具２の前下部又は後上部のどちらか一方に備えるものであってもよい。
【００１９】
また、本実施の形態において外布６の給水部５を除く部分は透湿性素材で形成されているが、透湿性素材ではなく防水性素材を用いてもよい。
【００２０】
なお、透湿性素材とは、水蒸気は通すが液体の水は通さない素材である。保水性素材とは、水を吸収し保持することができる素材である。防水性素材とは、水も水蒸気も通さない素材である。
【００２１】
[発明を実施するための異なる形態]
次に、図４ないし図１３に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２２】
図４および図５に示す本発明を実施するための第２の形態において、前記本発明を実施するための第１の形態と主に異なる点は、ベスト形状の人体装着具２の前下部のみにポケット９を備えた外布６Ａを用いて冷却部３Ａを構成した点で、このような人体冷却具１Ａにしても、前記本発明を実施するための第１の形態と同様な作用効果が得られるとともに、前記ポケット９に冷却剤１０等を収納して冷却効果を大きくすることができる。
【００２３】
前記冷却部３Ａの外布６Ａは、透水性素材を用いた透水層１１と、該透水層１１の上部の一部以外を覆い、かつ、上部に開口部１２が形成された防水性素材を用いたカバー層１３とからなるポケット形状となっている。
【００２４】
前記ポケット９は下端部が外布６Ａの下端部よりも上部に位置するように逢着部９ａが備えられている。ポケット９の下端部を外布６Ａの下端部よりも上部に位置させることにより、冷却剤１０の結露等が外布６Ａの下端部から染み出すことを防止できる。
なお、前記外布６Ａの上部の透水層１１が露出している部分は、給水部５を構成している。
【００２５】
また、本発明の実施の形態では、透水層１１の一部以外をカバー層１３で覆う形態について説明したが、カバー層１３で透水層１１の全体を覆い、ポケット９の開口部１２が給水部５を兼ねるようにしてもよい。
【００２６】
図６および図７に示す本発明を実施するための第３の形態において、前記本発明を実施するための第１の形態と主に異なる点は、頭部に装着する事ができる伸縮可能なヘアバンド状の人体装着具２Ａと、該人体装着具２Ａの後頭部の位置に取り付けられた冷却部３Ａとからなる人体冷却具１Ｂにしても、前記本発明を実施するための第１の形態と同様な作用効果が得られる。
【００２７】
なお、本願実施の形態における冷却部３Ａは後頭部を覆うことができる形状に形成され、後頭部側が内布４、反後頭部側が外布６となる。該外布６の上部には給水部５が形成されており、外布６には冷却剤１０を収納するためのポケットを形成してもよい。
【００２８】
図８および図９に示す本発明を実施するための第４の形態において、前記本発明を実施するための第１の形態と主に異なる点は、頭部に装着する事ができるキャップ状の人体装着具２Ｂと、該人体装着具２Ｂの頭頂部の位置に取り付けられた冷却部３Ｂとからなる人体冷却具１Ｃにしても、前記本発明を実施するための第１の形態と同様な作用効果が得られる。
【００２９】
なお、本願実施の形態における冷却部３Ｂは外布６Ｂの略中央部に帯状に給水部５Ｂが形成され、その周囲が透湿性素材の漏水防止部８で形成されている。
【００３０】
図１０および図１１に示す本発明を実施するための第５の形態において、前記本発明を実施するための第４の形態と主に異なる点は、人体装着具２Ｂの後頭部の位置に冷却部３Ａを更に備え、一部に透水性素材を用いた透水部１４を形成した内布４Ａを用いて冷却部３Ａを構成した点で、このような人体冷却具１Ｄにしても、前記本発明を実施するための第１の形態と同様な作用効果が得られるとともに衣服が濡れない位置に透水部１４を形成することにより、肌に直接水が接触し、さらなる涼感を得ることができる。
なお、後頭部の冷却部３Ａは人体装着具２Ｂに着脱自在に設けられたものであってもよいし、固定されているものでもよい。
【００３１】
図１２および図１３に示す本発明を実施するための第５の形態において、前記本発明を実施するための第１の形態と主に異なる点は、人体に巻きつけ、両端を結束して人体に密着固定できる帯状体１５の人体装着具２Ｃの略中央部分に冷却部３Ｃを備えた点で、このような人体冷却具１Ｅにしても、前記本発明を実施するための第１の形態と同様な作用効果が得られる。
なお、後頭部の人体装着具２Ｃは面ファスナー、ボタン等の接続手段で両端を接続し、帯状体１５の長さを調整できる長さ調節手段を用いてして人体に密着固定できるようにしたものでもよい。
【００３２】
本発明の実施の形態においては、帽子形状の人体装着具の冷却部の内布の一部に透水性素材を用いたものについて説明したが、ベスト等であっても衣服が濡れない程度に透水性素材を用いたり、内布であって衣服に接触しない部位に透水性素材を用いることにより、同様の効果を得ることができる。
【産業上の利用可能性】
【００３３】
本発明は熱中症等を予防する人体冷却具を製造する産業で利用される。
【符号の説明】
【００３４】
１、１Ａ、１Ｂ、１Ｃ、１Ｄ、１Ｅ：人体冷却具、
２、２Ａ、２Ｂ、２Ｃ：人体装着具、
３、３Ａ、３Ｂ、３Ｃ：冷却部、  ４、４Ａ：内布
５：給水部、                    ６、６Ａ、６Ｂ：外布、
７：保水層、                    ８：漏水防止部、
９：ポケット、                  １０：冷却剤、
１１：透水層、                  １２：開口部、
１３：カバー層、                １４：透水部、
１５：帯状体。
【図１】
2015052188.tif 000003
【図２】
2015052188.tif 000004
【図３】
2015052188.tif 000005
【図４】
2015052188.tif 000006
【図５】
2015052188.tif 000007
【図６】
2015052188.tif 000008
【図７】
2015052188.tif 000009
【図８】
2015052188.tif 000010
【図９】
2015052188.tif 000011
【図１０】
2015052188.tif 000012
【図１１】
2015052188.tif 000013
【図１２】
2015052188.tif 000014
【図１３】
2015052188.tif 000015